(57)【要約】【課題】ユーザーの利便性を向上し、安価に構成される表示装置を提供することである。【解決手段】表示装置は、本体部１０と、表示部１３と、出力部４０と、カバー部４１と、調整機構５０と、を備える。表示部１３は、パネル状であって、本体部１０に対する角度を変更可能に取り付けられ、情報を表示する。出力部４０は、表示部１３の前面に設けられた開口Ｓから、情報に関連する音を出力する。カバー部４１は、開口Ｓを覆うようにして、開口Ｓの開口面積を調整可能であって、板状の形状を有する。調整機構５０は、表示部１３の角度に連動してカバー部４１を動かして、開口Ｓの開口面積を調整する。【選択図】図７
2019005915.tif 000002
【特許請求の範囲】
【請求項１】
本体部と、
パネル状であって、前記本体部に対する角度を変更可能に取り付けられ、情報を表示する表示部と、
前記表示部の前面に設けられた開口から、前記情報に関連する音を出力する出力部と、
前記開口を覆うようにして、前記開口の開口面積を調整可能であって、板状の形状を有するカバー部と、
前記表示部の前記角度に連動して前記カバー部を動かして、前記開口の前記開口面積を調整する調整機構と、を備える、表示装置。
【請求項２】
前記調整機構は、
平板棒状の形状を有し、一方の端部が前記カバー部に接続され、他方の端部が前記表示部に接続される保持部と、
前記保持部を回動可能なように設けられる第１回転部材と、
前記第１回転部材を前記表示部の前記角度に連動して駆動するように制御する駆動制御部と、を備え、
前記調整機構は、前記駆動制御部により、前記表示部の前記角度に連動して前記第１回転部材を駆動し、前記カバー部を動かして、前記開口の前記開口面積を調整する、請求項１に記載の表示装置。
【請求項３】
前記表示部は、
前記表示部の少なくとも１つの端部を前記本体部に接続するパネル接続部と、
前記パネル接続部を回動可能なように配置される第２回転部材と、を備え、
前記第２回転部材は、前記表示部の前記角度に連動して駆動し、
前記調整機構は、前記駆動制御部により、前記第２回転部材と連動して、前記第１回転部材を駆動する、請求項２に記載の表示装置。
【請求項４】
前記出力部は、
振動することにより前記音を出力する振動部と、
前記振動部に当接可能に設けられており、前記振動部の振動を抑制する振動抑制部と、を含み、
前記駆動制御部は、前記振動抑制部を前記振動部に接触して押さえることにより、前記音の音量を調整する、請求項２または請求項３に記載の表示装置。
【請求項５】
前記開口は、円形状であり、
前記カバー部は、円形状であって、前記カバー部の径が前記開口の径に比べて小さい、請求項１〜請求項４のいずれか１項に記載の表示装置。
【発明の詳細な説明】
【技術分野】
【０００１】
この発明は、表示装置に関するものである。
【背景技術】
【０００２】
表示装置において、画像を表示する表示機能とタッチパネルで操作情報を入力する入力機能を備えた表示入力装置が提案されている（例えば、特許文献１）。
【０００３】
特許文献１に開示の表示入力装置は、オペレータの識別情報を認識する認識部と、画像を表示する表示部と、表示部の表面への接触により操作情報を入力する入力部と、オペレータの識別情報に対応づけて入力部または表示部の補正量を記憶する記憶部と、認識部が新たに認識したオペレータの識別情報に対応する補正量を記憶部から読み出し、読み出した補正量に基づいて入力部または表示部の少なくとも一方のパラメータを補正する制御部と、を具備することを特徴とする。
【先行技術文献】
【特許文献】
【０００４】
【特許文献１】特開２０１１−１８０９１４号公報
【発明の概要】
【発明が解決しようとする課題】
【０００５】
画像形成装置において、情報を表示する表示部が設けられる。表示部は、画像形成装置本体部に対して角度を変更可能なように配置される場合がある。これは、ユーザーの身長の違いによって視線の角度が異なるためである。また、表示部には、情報に関連した音を出力する出力部が設けられ、表示部の前面に形成された開口から音を出力するように構成される場合がある。このような場合において、ユーザーにより表示部の本体部に対する角度が変更されると、角度によってはユーザーが聞き取り難くなってしまう。例えば、本体部に対して表示部を立てるようにして、本体部に対する表示部の角度を大きくした場合には、ユーザーに聞こえる音が小さくなり、聞き取り難くなってしまう。このため、表示部の本体部に対する角度を変更しても、ユーザーに聞こえる音量が変化せずに一定であることが好ましい。
【０００６】
特許文献１に開示の技術では、表示部を搭載している表示ユニットの傾斜角度に対応づけて、制御部によりスピーカの音量のパラメータの補正を行う。このように制御部によりパラメータの補正を行うと、構成上コストアップに繋がる可能性があり、好ましくない。
【０００７】
この発明の目的は、ユーザーの利便性を向上し、安価に構成される表示装置を提供することである。
【課題を解決するための手段】
【０００８】
この発明の一の局面において、本体部と、表示部と、カバー部と、調整機構と、を備える。表示部は、パネル状であって、本体部に対する角度を変更可能に取り付けられ、情報を表示する。出力部は、表示部の前面に設けられた開口から、情報に関連する音を出力する。カバー部は、開口を覆うようにして、開口の開口面積を調整可能であって、板状の形状を有する。調整機構は、表示部の角度に連動してカバー部を動かして、開口の開口面積を調整する。
【発明の効果】
【０００９】
このような表示装置によれば、表示部に設けられた開口を覆い、開口の開口面積を調整可能なカバー部を備える。このようにすることで、開口から出力される音量をカバー部により調整することができる。また、表示部の本体部に対する角度に連動して、カバー部を動かして、開口の開口面積が調整される。このようにすることで、表示部の本体部に対する角度が大きい場合には開口の開口面積を大きくして、開口から出力される音量を大きくすることができる。このため、表示部の本体部に対する角度が大きくなったとしても、ユーザーに聞こえる音量が変わらずに一定に保つことができる。また、カバー部と、調整機構とにより構成されるため、ソフトウェアによる補正を必要とせず、安価に構成することができる。従って、ユーザーの利便性を向上し、安価に構成することができる。
【図面の簡単な説明】
【００１０】
【図１】この発明の一実施形態に係る画像形成装置を複合機に適用した場合の複合機の外観を示す概略図である。
【図２】複合機の構成を示すブロック図である。
【図３】表示部の概略的な構成を示す外観図である。
【図４】表示部の概略的な構成を示す模式図である。
【図５】カバー部の概略的な構成を示す外観図である。
【図６】調整機構の概略的な構成を示す模式図である。
【図７】開口の開口面積を変化させる場合の処理の流れを示すフローチャートである。
【図８】表示部の本体部に対する角度を変更した時の第１の状態を示す模式図である。
【図９】開口の開口面積を変化させた時の第１の状態を示す模式図である。
【図１０】表示部の本体部に対する角度を変更した時の第２の状態を示す模式図である。
【図１１】開口の開口面積を変化させた時の第２の状態を示す模式図である。
【発明を実施するための形態】
【００１１】
次に、本発明にかかる画像形成装置の一実施の形態を、以下に図面を参照しつつ説明する。なお、以下の図面において同一または相当する部分には同一の参照番号を付しその説明は繰り返さない。図１は、この発明の一実施形態に係る画像形成装置を複合機に適合した場合の複合機の外観を示す概略図である。図２は、複合機の構成を示すブロック図である。
【００１２】
図１および図２を参照して、複合機１１は、複合機１１は、画像形成に関する情報を処理する本体部１０と、ＣＰＵを備える制御部１２と、表示部１３と、画像読み取り部１４と、画像を形成する画像形成部１５と、用紙搬送部２０と、調整機構５０とを備える。
【００１３】
制御部１２は、複合機１１全体の制御を行う。制御部１２は、ＣＰＵ等から構成されており、一時的にデータを記憶する記憶部としての主記憶メモリ３１を含む。表示部１３は、複合機１１に関する情報やユーザーの入力内容を表示する。表示部１３は、印刷部数や階調等の画像形成の条件や電源のオンまたはオフを入力させる。表示部１３は、情報を表示する表示画面２１を含む。表示画面２１は、液晶のタッチパネル機能を有しており、ユーザーの指での押圧等により、表示画面２１からも画像形成条件等を入力させると共に、機能の選択等を行うことができる。画像読み取り部１４は、載置台上にセットされた原稿を読み取ることによって原稿の画像を取得する。用紙搬送部２０は、複数の搬送ローラ３３を含み、給紙カセット１８にセットされた用紙を画像形成部１５へ搬送する。画像形成部１５は、画像読み取り部１４により取得された原稿の画像を基に、給紙カセット１８から搬送されてきた用紙に画像を形成する。記憶部としてのハードディスク３２は、入力された画像形成条件等、画像形成に関するデータを記憶する。
【００１４】
図３は、表示部１３の概略的な構成を示す外観図である。図３を参照して、表示部１３は、印刷部数等を入力させるための０〜９までの数字、および「＊」や「＃」の記号を入力させるテンキー３４と、印刷の開始やファクシミリ送信の開始を指示させるスタートキー３５と、複合機１１の電源のオンオフを入力させる電源キー３６と、複合機１１の有するプリンター機能やコピー機能等の選択を指示させるメニューキー３７と、種々の画像形成の条件や使用ユーザーの登録を指示させる登録キー３８と、テンキー３４等を用いてユーザーにより入力された指示の内容をキャンセルさせるリセットキー３９と、表示画面２１と、を含む。表示画面２１は、液晶のタッチパネル機能を有しており、ユーザーの指での押圧等により、表示画面２１からも画像形成条件等を入力させると共に、機能の選択等を行うことができる。
【００１５】
表示部１３は、パネル状の形状を有する。表示部１３は、第１の端部１３１、第２の端部１３２、第３の端部１３３、第４の端部１３４を有する。表示部１３は、表示部１３は、本体部１０に対して角度を変更可能に取り付けられる。図４は、表示部１３の概略的な構成を示す模式図である。図４を参照して、表示部１３は、パネル接続部６１と、第２回転部材６２と、を含む。表示部１３の第１の端部１３１は、パネル接続部６１によって、本体部１０に接続される。パネル接続部６１は、表示部１３に固定して接続される。パネル接続部６１は、円筒状の形状を有する。第２回転部材６２は、本体部１０内に配置される。パネル接続部６１は、第２回転部材６２によって回動可能なように配置される。第２回転部材６２は、第２ギア部を含む。第２ギア部は、円筒状の形状を有する。第２ギア部の外周面上には、ギア歯（図示せず）を有する。
【００１６】
図４において、表示部１３は、表示部１３の第１の端部１３１を支点として回転して、本体部１０に対する角度を変更可能である。表示部１３は、Ｚ方向を示す矢印の向き、およびＺ方向を示す矢印の向きとは反対の向きであるいわゆる上下方向に所定の角度だけ回転させることができる。表示部１３の回転の動きに連動して、パネル接続部６１は回転し、第２回転部材６２は駆動することとなる。
【００１７】
表示部１３は、画像形成に関する情報に関連する音を出力する出力部４０を備える。図３において、出力部４０の構成については、点線で概略的に図示している。出力部４０は、表示部１３の内方側に収容される。出力部４０は、振動することにより前記音を出力する振動部４０１を含む。出力部４０は、表示部１３の前面に設けられた開口から音を出力するように構成される。出力部４０は、振動部４０１に当接可能に設けられており、振動部４０１の振動を抑制する振動抑制部４０２を含む。本実施の形態においては、表示部１３に設けられた開口は、円形状の形状を有する。表示部１３に表示部１３に設けられた開口を覆うようにカバー部が配置される。
【００１８】
図５は、カバー部の概略的な構成を示す外観図である。図５は、Ｙ方向を示す矢印の向きとは反対の方向からカバー部を見た時の図である。カバー部４１は、表示部１３の前面に設けられた開口Ｓを覆うように配置される。カバー部４１は、平板状の形状を有する。カバー部４１は、円形状の形状を有する。なお、カバー部４１の形状は、本実施の形態の円形状の他、長方形状の形状、正方形状の形状等であってもよい。カバー部４１は、例えば、樹脂部材から構成される。カバー部４１の径は、表示部１３に設けられた開口Ｓの径に比べて小さく形成される。カバー部４１によって、表示部１３に設けられた開口Ｓの開口面積を調整することができる。
【００１９】
複合機１１は、表示部１３の本体部１０に対する角度に連動してカバー部４１を動かして、表示部１３に設けられる開口Ｓの開口面積を調整する調整機構５０を備える。以下、調整機構５０について説明する。調整機構５０は、保持部と、第１回転部材と、を備える。図５を参照して、保持部５１は、平板棒状の形状を有する。保持部５１の一方の端部は、カバー部４１に接続される。保持部５１の一方の端部は、カバー接続部５２によってカバー部４１と接続される。カバー接続部５２は、円筒状の形状を有する。保持部５１の他方の端部は、接続部５３によって表示部１３に接続される。接続部５３は、保持部５１に固定して接続される。接続部５３は、円筒状の形状を有する。接続部５３は、回動可能なように構成される。第１回転部材は、保持部５１を回動可能なように設けられる。
【００２０】
図６は、調整機構５０の概略的な構成を示す模式図である。図６は、Ｚ方向に示す矢印の向きから調整機構５０を見た時の図である。接続部５３のカバー部４１と接続する側とは反対側の端部は、第１回転部材７０と接続される。第１回転部材７０は、第１ギア部５４と、駆動ギア部５５と、第１モータ５６と、を含む。接続部５３のカバー部４１と接続する側とは反対側の端部は、第１ギア部５４と接続される。接続部５３の外周面に接触するように第１ギア部５４は配置される。第１ギア部５４は、中空円筒状の形状を有する。第１ギア部５４の内周面と、接続部５３の外周面が接触するように配置される。第１ギア部５４の外周面には、ギア歯（図示せず）が配置される。第１ギア部５４は、駆動ギア部５５と接続する。駆動ギア部５５が回転することで、第１ギア部５４が回転する。駆動ギア部５５の第１ギア部５４と接続する側とは反対側の端部は、第１モータ５６と接続する。第１モータ５６が駆動することにより、駆動ギア部５５は回転する。
【００２１】
カバー部４１は、接続部５３を支点として、Ｚ方向を示す矢印の向き、およびＺ方向を示す矢印の向きとは反対の向きに回転する。カバー部４１は、第１モータ５６が駆動することにより、Ｚ方向を示す矢印の向きおよびＺ方向を示す矢印の向きとは反対の向きに所定の角度だけ回転する。カバー部４１は、表示部１３の回転の動きに連動して、Ｚ方向を示す矢印の向きおよびＺ方向を示す矢印の向きとは反対の向きに所定の角度だけ回転するように構成される。
【００２２】
次に、複合機１１に備えられる制御部１２の構成について説明する。図２を参照して、制御部１２は、駆動制御部１２１を含む。駆動制御部１２１は、第１モータ５６を表示部１３の本体部１０に対する角度に連動して駆動するように制御する。なお、駆動制御部１２１は、表示部１３の第２回転部材６２と連動して、第１回転部材７０を駆動するように制御してもよい。より具体的には、表示部１３の第２回転部材６２と連動して、第１モータ５６を駆動するように制御してもよい。
【００２３】
次に、複合機１１の動作について説明する。表示部１３の本体部１０に対する角度を変更し、カバー部４１を回転して、開口Ｓの開口面積を変化させる場合について説明する。図７は、表示部１３の本体部１０に対する角度を変更し、カバー部４１を回転して、開口Ｓの開口面積を変化させる場合の処理の流れを示すフローチャートである。
【００２４】
図７を参照して、まず、表示部１３を本体部１０に対して所定の角度だけ傾かせる（図７において、ステップＳ１１、以下、「ステップ」を省略する）。表示部１３が、本体部１０に対して所定の角度だけ傾くことにより、パネル接続部６１が回転し、第２回転部材６２は駆動する。その結果、駆動制御部１２１により、表示部１３の第２回転部材６２の駆動が検知される（Ｓ１２）。そして、駆動制御部１２１により、調整機構５０の第１モータ５６を駆動する（Ｓ１３）。第１モータ５６が駆動することにより、駆動ギア部５５および第１ギア部５４は回転する。その結果、接続部５３は回転し、接続部５３に固定されるカバー部４１が所定の角度だけ回転する（Ｓ１４）。
【００２５】
図４および図５を参照して、表示部１３は、当初、本体部１０に対して閉じた状態で配置される。この際に、カバー部４１は、開口Ｓを覆うように配置される。出力部４０から出力される音は、カバー部４１によって覆われていない開口Ｓの領域から出力される。
【００２６】
図８は、表示部１３の本体部１０に対する角度を変更した時の第１の状態を示す模式図である。図９は、カバー部４１を回転して、開口Ｓの開口面積を変化させた時の第１の状態を示す模式図である。図８を参照して、ユーザーによって、表示部１３がＺ方向に示す矢印の向きに所定の角度だけ回転される。図８では、表示部１３は、第１の端部１３１を支点として、本体部１０に対して角度αだけ回転し、傾いている。図９では、カバー部４１をＺ方向に示す矢印の向きに所定の角度だけ回転し、開口Ｓの開口面積が増加している。このようにすることで、開口Ｓから出力される音の音量を大きくすることができる。表示部１３が、図８のように傾いている場合には、ユーザーに聞こえる音量は小さくなってしまう。このため、図９のように開口Ｓの開口面積を増加して、開口Ｓから出力される音の音量を大きくすることで、ユーザーに聞こえる音量を一定に保つことができる。
【００２７】
図１０は、表示部１３の本体部１０に対する角度を変更した時の第２の状態を示す模式図である。図１１は、カバー部４１を回転して、開口Ｓの開口面積を変化させた時の第２の状態を示す模式図である。図１０では、表示部１３は、第１の端部１３１を支点として、本体部１０に対して角度βだけ回転し、傾いている。なお、角度β＞αの関係を有する。図１１では、図９に比べて、開口Ｓの開口面積をさらに増加している。このようにすることで、開口Ｓから出力される音の音量をさらに大きくすることができる。表示部１３が、図１０のように傾いている場合には、ユーザーに聞こえる音量は更に小さくなってしまう。このため、図１１のように開口Ｓの開口面積をさらに増加して、開口Ｓから出力される音の音量を更に大きくすることで、ユーザーに聞こえる音量を一定に保つことができる。
【００２８】
ここで、このような複合機１１によれば、表示部１３に設けられた開口Ｓを覆い、開口Ｓの開口面積を調整可能なカバー部４１を備える。このようにすることで、開口Ｓから出力される音量をカバー部４１により調整することができる。また、表示部１３の本体部１０に対する角度に連動して、カバー部４１を動かして、開口Ｓの開口面積が調整される。このようにすることで、表示部１３の本体部１０に対する角度が大きい場合には開口Ｓの開口面積を大きくして、開口Ｓから出力される音量を大きくすることができる。このため、表示部１３の本体部１０に対する角度が大きくなったとしても、ユーザーに聞こえる音量が変わらずに一定に保つことができる。また、カバー部４１と、調整機構５０とにより構成されるため、ソフトウェアによる補正を必要とせず、安価に構成することができる。従って、ユーザーの利便性を向上し、安価に構成することができる。
【００２９】
また、複合機１１においては、表示部１３に設けられる開口Ｓは、円形状である。また、カバー部４１は円形状であり、カバー部４１の径は開口Ｓの径に比べて小さい。このようにすることで、表示部１３に設けられる開口Ｓをカバー部４１が覆ったとしても隙間ができるため、カバー部４１によって覆われていない開口Ｓの領域から音を出力することができる。
【００３０】
なお、駆動制御部１２１により、表示部１３の本体部１０に対する角度に連動して、出力部４０における振動抑制部４０２を振動部４０１に接触して押さえることにより、振動部４０１の振動を抑制して音の音量を調整するようにしてもよい。
【００３１】
なお、本実施の形態においては、制御部１２により、表示部１３の第２回転部材６２の駆動と連動して、第１モータ５６を駆動する場合について説明したが、これに限らず、表示部１３の第２回転部材６２と、調整機構５０の第１ギア部５４とが接続し、第２回転部材６２の回転と連動して、第１ギア部５４を回転するように構成してもよい。
【００３２】
なお、本実施の形態においては、画像形成装置に適用した場合を示したが、これに限らず、表示装置として構成してもよい。表示装置は、本体部１０と、表示部１３と、出力部４０と、カバー部４１と、調整機構５０と、を備えるようにしてもよい。
【００３３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３４】
この発明に係る表示装置は、ユーザーの利便性を向上し、安価に構成されることが要求される場合に、特に有効に利用される。
【符号の説明】
【００３５】
１０  本体部、１１  複合機、１２  制御部、１２１  駆動制御部、１３  表示部、１３１  第１の端部、１３２  第２の端部、１３３  第３の端部、１３４  第４の端部、１４  画像読み取り部、１５  画像形成部、１８  給紙カセット、２０  用紙搬送部、２１  表示画面、３１  主記憶メモリ、３２  ハードディスク、３３  搬送ローラ、３４  テンキー、３５  スタートキー、３６  電源キー、３７  メニューキー、３８  登録キー、３９  リセットキー、４０  出力部、４０１  振動部、４０２  振動抑制部、４１  カバー部、５０  調整機構、５１  保持部、５２  カバー接続部、５３  接続部、５４  第１ギア部、５５  駆動ギア部、５６  第１モータ、６１  パネル接続部、６２  第２回転部材、７０  第１回転部材、Ｓ  開口。
【図１】
2019005915.tif 000003
【図２】
2019005915.tif 000004
【図３】
2019005915.tif 000005
【図４】
2019005915.tif 000006
【図５】
2019005915.tif 000007
【図６】
2019005915.tif 000008
【図７】
2019005915.tif 000009
【図８】
2019005915.tif 000010
【図９】
2019005915.tif 000011
【図１０】
2019005915.tif 000012
【図１１】
2019005915.tif 000013